(57)【特許請求の範囲】
【請求項１】
表示部と、
それぞれ数字が割り当てられたテンキーと、
所定のアプリケーションが起動され、当該所定のアプリケーションに基づいて文書データが前記表示部に表示された状態において、前記テンキーのうちの第１キーが操作され、当該第１キーの操作に続いて前記テンキーのいずれかが操作されることなく所定時間経過した場合には、前記第１キーについて対応付けられた前記所定のアプリケーションに関する第１の処理を実行し、前記第１キーの操作から前記所定時間内に前記テンキーのいずれかである第２キーが操作された場合には、前記第１キー及び前記第２キーのキーアサインを変更し、前記文書データ中の前記第１キーと第２キーとに割り当てられる数字に対応する箇所を特定して表示する第２の処理を実行する制御部と、を備える携帯電子機器。
【請求項２】
前記制御部は、前記文書データを前記所定のアプリケーションにより表示している状態下で前記テンキーが操作されると、操作された前記テンキーに割り当てられる数字を前記文書データと共に前記表示部に表示させるよう制御する請求項１に記載の携帯電子機器。
【請求項３】
前記制御部は、前記文書データを前記所定のアプリケーションにより表示している状態下で前記テンキーが操作された際、１回目の入力である前記第１キーの操作時には数字の表示を行わず、さらに前記所定時間内に前記第２キーの操作が行われたときに前記第１キー及び第２キーに割り当てられる数字を前記表示部に表示させるよう制御する請求項２記載の携帯電子機器。
【請求項４】
表示部と、
それぞれ数字が割り当てられたテンキーを含むキー操作部と、
所定のアプリケーションが起動され、前記所定のアプリケーションに基づいて文書データが前記表示部に表示された状態において前記キー操作部により所定の操作を行うと、前記文書データにおける行方向及び／又は列方向の目印となる数字を含むルーラを前記文書データと共に前記表示部に表示させ、前記所定の操作から所定時間内に前記テンキーが操作された場合には、操作された前記テンキーに割り当てられた数字に一致する前記ルーラ上の数字により特定される行及び／又は列を指定した状態で前記文書データを前記表示部に表示させ、前記所定の操作から所定時間経過後に前記テンキーが操作された場合には、前記テンキーのキーアサインを変更し、操作された前記テンキーについて対応付けられた前記所定のアプリケーションに関する処理を実行する制御部と、を備える携帯電子機器。
【請求項５】
前記テンキーは、テンキーにそれぞれ文字がさらに割り当てられており、
前記制御部は、前記ルーラ上の数字により前記文書データの行及び／又は列を指定した状態でさらに前記テンキーが操作されると、操作された前記テンキーに割り当てられる文字を、前記ルーラ上の数字により指定される箇所に挿入する請求項４に記載の携帯電子機器。
【請求項６】
前記制御部は、前記ルーラ上の数字により前記文書データの行及び／又は列を指定した状態でさらに前記テンキーが操作された際、操作された前記テンキーに割り当てられる文字及び数字を双方ともに前記表示部に表示させる請求項５に記載の携帯電子機器。
【請求項７】
無線通信部をさらに備え、
前記テンキーは、前記無線通信部により発呼を行うための電話番号を入力可能なキーである請求項１から６のいずれか一項に記載の携帯電子機器。
【請求項８】
それぞれ数字が割り当てられたテンキーを有する携帯電子機器の制御方法であって、
所定のアプリケーションを起動する工程と、
前記所定のアプリケーションに基づいて文書データを表示する工程と、
前記テンキーのうちの第１キーが操作され、前記第１キーの操作に続いて前記テンキーのいずれかが操作されることなく所定時間経過した場合には、前記第１キーについて対応付けられた前記所定のアプリケーションに関する第１の処理を実行し、前記第１キーの操作から前記所定時間内に前記テンキーのいずれかである第２キーが操作された場合には、前記第１キー及び前記第２キーのキーアサインを変更し、前記文書データ中の前記第１キーと第２キーとに割り当てられる数字に対応する箇所を特定して表示する第２の処理を実行する工程と、を行う携帯電子機器の制御方法。
【発明の詳細な説明】
【技術分野】
【０００１】
本発明は、文書データを表示する表示部を備えた携帯電子機器及び携帯電子機器の制御方法に関する。
【背景技術】
【０００２】
昨今の携帯電話機等の携帯電子機器は、ページサイズの大きなパソコン用の文書データを表示部に表示させることができる。このような携帯電話機は、可搬性が重要とされるために表示面積が狭く、文書データの１ページ全体を表示部に表示させると文字サイズが小さくなり、ユーザが文書を読むことができなくなる。そこで、文字サイズを携帯電話機にとって最適な大きさに変更し、変更後の文字サイズを用いて文書データを表示部に表示する携帯電話機がある（特許文献１参照）。
【先行技術文献】
【特許文献】
【０００３】
【特許文献１】特開２００８−２１０１１６号公報
【発明の概要】
【発明が解決しようとする課題】
【０００４】
しかしながら、携帯電話機では、文書データの一部を表示部に拡大表示する場合、常に、文書データにおける特定箇所（例えば、ユーザが読みたい箇所）を中心にして拡大表示されるとは限らない。
また、携帯電話機では、文書データ全体を表示部に表示させている状態から文書データを拡大表示する場合、特定箇所が文書データ中の何処に記載されているかわからないため、まず、文書を読むことができる大きさになるまで文書データを拡大し、次に、文書データを上下左右に移動させて特定箇所を表示部に表示することになる。
したがって、従来の携帯電話機では、文書データにおける特定箇所を迅速に特定する困難であった。
【０００５】
本発明は、文書データにおけるユーザ所望の箇所を迅速に特定することが可能な携帯電子機器及び携帯電子機器の制御方法を提供することを目的とする。
【課題を解決するための手段】
【０００６】
本発明に係る携帯電子機器は、表示部と、それぞれ数字が割り当てられたテンキーと、所定のアプリケーションが起動され、当該所定のアプリケーションに基づいて文書データが前記表示部に表示された状態において、前記テンキーのうちの第１キーが操作され、当該第１キーの操作に続いて前記テンキーのいずれかが操作されることなく所定時間経過した場合には、前記第１キーについて対応付けられた前記所定のアプリケーションに関する第１の処理を実行し、前記第１キーの操作から前記所定時間内に前記テンキーのいずれかである第２キーが操作された場合には、前記文書データ中の前記第１キーと第２キーとに割り当てられる数字に対応する箇所を特定して表示する第２の処理を実行する制御部と、を備えることを特徴とする。
【０００７】
また、前記制御部は、前記文書データを前記所定のアプリケーションにより表示している状態下で前記テンキーが操作されると、操作された前記テンキーに割り当てられる数字を前記文書データと共に前記表示部に表示させるよう制御することが好ましい。
【０００８】
また、前記制御部は、前記文書データを前記所定のアプリケーションにより表示している状態下で前記テンキーが操作された際、１回目の入力である前記第１キーの操作時には数字の表示を行わず、さらに前記所定時間内に前記第２キーの操作が行われたときに前記第１キー及び第２キーに割り当てられる数字を前記表示部に表示させるよう制御することが好ましい。
【０００９】
また、本発明に係る携帯電子機器は、表示部と、それぞれ数字が割り当てられたテンキーを含むキー操作部と、所定のアプリケーションが起動され、前記所定のアプリケーションに基づいて文書データが前記表示部に表示された状態において前記キー操作部により所定の操作を行うと、前記文書データにおける行方向及び／又は列方向の目印となる数字を含むルーラを前記文書データと共に前記表示部に表示させ、前記所定の操作から所定時間内に前記テンキーが操作された場合には、操作された前記テンキーに割り当てられた数字に一致する前記ルーラ上の数字により特定される行及び／又は列を指定した状態で前記文書データを前記表示部に表示させ、前記所定の操作から所定時間経過後に前記テンキーが操作された場合には、操作された前記テンキーについて対応付けられた前記所定のアプリケーションに関する処理を実行する制御部と、を備えることを特徴とする。
【００１０】
また、前記テンキーは、テンキーにそれぞれ文字がさらに割り当てられており、前記制御部は、前記ルーラ上の数字により前記文書データの行及び／又は列を指定した状態でさらに前記テンキーが操作されると、操作された前記テンキーに割り当てられる文字を、前記ルーラ上の数字により指定される箇所に挿入することが好ましい。
【００１１】
また、前記制御部は、前記ルーラ上の数字により前記文書データの行及び／又は列を指定した状態でさらに前記テンキーが操作された際、操作された前記テンキーに割り当てられる文字及び数字を双方ともに前記表示部に表示させることが好ましい。
【００１２】
また、前記携帯電子機器は、無線通信部をさらに備え、前記テンキーは、前記無線通信部により発呼を行うための電話番号を入力可能なキーであることが好ましい。
【００１３】
また、本発明に係る携帯電子機器は、表示部と、数字が割り当てられると共に、所定のアプリケーションの起動に伴って所定機能が割り当てられるキーを含むキー操作部と、前記所定のアプリケーションが起動されて前記表示部に情報が表示された状態において、前記所定のアプリケーションによる所定の表示処理が行われ、その後前記キーの操作が行われた場合に、前記所定の表示処理から前記キーの操作までが所定時間経過した場合には、前記所定機能を実行し、前記所定の表示処理から前記キーの操作までが所定時間内の場合には、操作された前記キーに割り当てられる数字に対応する処理を実行させる制御部と、を備えることを特徴とする。
【００１４】
本発明は、それぞれ数字が割り当てられたテンキーを有する携帯電子機器の制御方法であって、所定のアプリケーションを起動する工程と、前記所定のアプリケーションに基づいて文書データを表示する工程と、前記テンキーのうちの第１キーが操作され、前記第１キーの操作に続いて前記テンキーのいずれかが操作されることなく所定時間経過した場合には、前記第１キーについて対応付けられた前記所定のアプリケーションに関する第１の処理を実行し、前記第１キーの操作から前記所定時間内に前記テンキーのいずれかである第２キーが操作された場合には、前記文書データ中の前記第１キーと第２キーとに割り当てられる数字に対応する箇所を特定して表示する第２の処理を実行する工程と、を行うことを特徴とする。
【発明の効果】
【００１５】
本発明によれば、文書データにおけるユーザ所望の箇所を迅速に特定することができる。
【図面の簡単な説明】
【００１６】
【図１】本発明の携帯電子機器の第１実施形態に係る携帯電話機の外観斜視図である。
【図２】携帯電話機の機能を示す機能ブロック図である。
【図３】キーアサインについての説明に供する図である。
【図４】携帯電話機が機能を発揮するための構成を示す機能ブロック図である。
【図５】キーアサインテーブルの一例を示す表である。
【図６】文書データを表示部に表示させた状態から、第１の処理を実行する場合と、第２の処理を実行する場合との一例について説明するための図である。
【図７】携帯電話機の制御方法について説明するためのフローチャートである。
【図８】文書データを表示部に表示させた状態から、文書データを拡大表示させる場合と、行及び列を指定した状態で文書データを表示部に表示させる場合とを説明するための図である。
【図９】携帯電話機の動作を説明するためのフローチャートである。
【発明を実施するための形態】
【００１７】
以下、本発明の実施形態について説明する。
［第１実施形態］
まず、第１実施形態について説明する。図１は、本発明の携帯電子機器の第１実施形態に係る携帯電話機１の外観斜視図である。なお、図１は、いわゆる折り畳み型の携帯電話機の形態を示しているが、本発明に係る携帯電話機の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１８】
携帯電話機１は、操作部側筐体部２と、表示部側筐体部３とを備える。操作部側筐体部２は、表面部１０に、操作部１１（キー操作部）と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネル上に配置するようにしてもよい。
【００１９】
また、表示部側筐体部３は、表面部２０に、各種情報を表示する表示部２１と、通話の相手側の音声を出力するスピーカ２２とを備える。
【００２０】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２１】
また、図２は、携帯電話機１の機能を示す機能ブロック図である。携帯電話機１は、図２に示すように、操作部１１と、マイク１２と、メインアンテナ４０と、ＲＦ回路部４１と、画像処理部４２と、音声処理部４３と、メモリ４４と、制御部４５とを操作部側筐体部２に備える。また、携帯電話機１は、図２に示すように、表示部２１と、スピーカ２２と、ドライバＩＣ２３とを表示部側筐体部３に備える。
【００２２】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２３】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置に送信する。また、その一方で、ＲＦ回路部４１は、メインアンテナ４０によって受信している信号の強度を制御部４５に通知する。
【００２４】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２５】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２６】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２７】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２８】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４及び決定操作キー１５）に割り当てる文字・数字・記号や機能を変化させる。
【００２９】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００３０】
なお、記号の処理の実行とは、例えば、現在アクティブになっているアプリケーションがメモ帳の場合には、「１」や「あ」を表示部２１に表示することを意味している。また、機能の処理の実行とは、例えば、現在アクティブになっているアプリケーションがテレビの場合には、表示チャンネルを１ｃｈに設定することを意味している。
【００３１】
また、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３２】
このように構成される携帯電話機１は、文書データにおける特定箇所を迅速に特定する機能を有する。
以下に、携帯電話機１に係る上記機能を発揮するための構成と動作について詳述する。まず、本実施形態に係る携帯電話機１の上記機能を発揮するための構成について、図４を参照しながら説明する。図４は、携帯電話機１が上記機能を発揮するための構成を示す機能ブロック図である。図５は、キーアサインテーブルの一例を示す表である。
【００３３】
［第１構成例］
携帯電話機１は、表示部２１（図２参照）と、入力操作キー１４（図１参照）と、制御部４５とを備える。
操作部１１は、入力操作キー１４を含む。入力操作キー１４（テンキー）には、それぞれ数字が割り当てられる。また、入力操作キー１４には、それぞれ文字が割り当てられる。
【００３４】
制御部４５は、所定のアプリケーションが起動され、当該所定のアプリケーションに基づいて文書データが表示部２１に表示された状態において、入力操作キー１４のうちの第１キーが操作され、当該第１キーの操作に続いて入力操作キー１４のいずれかが操作されることなく所定時間経過した場合には、第１キーについて対応付けられた所定のアプリケーションに関する第１の処理を実行し、第１キーの操作から所定時間内に入力操作キー１４のいずれかである第２キーが操作された場合には、第１キーと第２キーとに割り当てられる数字に対応する第２の処理を実行する。
【００３５】
所定のアプリケーションは、例えば、表示画面の大きいパソコン用の文書データを表示部２１に表示させることができるドキュメントビューワやブラウザ等である。所定のアプリケーションは、メモリのアプリケーション格納部４４１に格納される。文書データは、文字及び数字から構成される文書や、文字、数字及び画像から構成される文書等である。
【００３６】
制御部４５は、アプリケーション選択部４５１と、アプリケーション起動部４５２とを備える。アプリケーション選択部４５１は、アプリケーション格納部４４１に格納されるアプリケーションの中から、起動要求が有ったアプリケーションを選択する。アプリケーション起動部４５２は、アプリケーション選択部４５１により選択されたアプリケーションを起動する。
所定のアプリケーションとして、例えば、ドキュメントビューアを起動する場合、まず、アプリケーション選択部４５１は、制御部４５内で生成される起動要求に応じて、アプリケーション格納部４４１に格納されているドキュメントビューアを選択する。続いて、アプリケーション起動部４５２は、アプリケーション選択部４５１により選択されたドキュメントビューアを起動する。
【００３７】
制御部４５は、ドキュメントビューアが起動された場合、ドキュメントビューアに関する機能を入力操作キー１４に割り当てる。例えば、図３（ａ）及び図５に示すように、入力操作キー１４のうちの「７」及び「ま」が印刷されたキー（Ｘ４、Ｙ１）には、拡大表示機能が割り当てられる。また、「９」及び「ら」が印刷されたキー（Ｘ４、Ｙ３）には、縮小表示機能が割り当てられる。さらに、「５」及び「な」が印刷されたキー（Ｘ３、Ｙ２）には、ルーラ表示機能が割り当てられる。なお、図５に例示するキーアサインテーブルは、メモリに記憶される。なお、所定のアプリケーションに関する機能は、ドキュメントビューアならば、例えば、「＊」が印刷されるキー（Ｘ５、Ｙ１）又は「＃」が印刷されるキー（Ｘ５、Ｙ３）に割り当てられてもよい。
【００３８】
制御部４５は、文書データが表示部２１に表示された状態（ドキュメントビューアが起動されてアクティブとなっている状態）において、ドキュメントビューアに関する機能（例えば、拡大表示機能、縮小表示機能、ルーラ表示機能等）が割り当てられたキー（第１キー）が操作され、その後の所定時間内に入力操作キー１４を構成するいずれかのキーが操作されなかった場合には、所定のアプリケーションにおいて第１キーに割り当てられた機能を第１の処理として実行する。
【００３９】
一方、制御部４５は、文書データが表示部２１に表示された状態（ドキュメントビューアが起動されてアクティブとなっている状態）において、第１キーが操作され、その後の所定時間内に入力操作キー１４を構成するいずれかのキー（第２キー）が操作された場合には、第１キー及び第２キーのキーアサインを数字及び文字を入力するためのものに変更する。一例として、第１キーとして拡大表示機能が割り当てられたキー（「７」及び「ま」が印刷されたキー）の後に、第２キーとして「４」及び「た」が印刷されたキーが所定時間内に操作された場合、制御部４５は、第１キーと第２キーとのキーアサインをそれぞれ「７」及び「ま」と、「４」及び「た」とへ変更する（図３及び図５参照）。制御部４５は、第１キー及び第２キーのキーアサインを変更すると、第１キー及び第２キーのそれぞれに割り当てられる数字を表示部２１に表示させる。さらに、制御部４５は、表示部２１に表示された数字に基づいて、文書データの特定箇所を特定する処理（第２の処理）を実行する。
【００４０】
したがって、携帯電話機１は、第１キー操作から所定時間内に入力操作キー１４を構成するいずれかのキーが操作された場合、第１キーと第２キーとにそれぞれ割り当てられた数字に基づいて第２の処理を実行するので、文書データにおける所望の箇所を迅速に特定することができ、その一方で、第１キーの操作から所定時間内にキー操作がなければ第１キーに割り当てられた第１の処理を実行するので、所定のアプリケーションに対する作業性も極力低下させることがない。
【００４１】
［第２構成例］
また、制御部４５は、文書データを所定のアプリケーションにより表示している状態下で入力操作キー１４が操作されると、操作された入力操作キー１４に割り当てられる数字を文書データと共に表示部２１に表示させるよう制御する。
したがって、携帯電話機１は、入力操作キー１４の操作に基づいて入力された数字をユーザに確認させることができる。
【００４２】
［第３構成例］
また、制御部４５は、文書データを所定のアプリケーションにより表示している状態下で入力操作キー１４が操作された際、１回目の入力である第１キーの操作時には数字の表示を行わず、さらに所定時間内に第２キーの操作が行われたときに第１キー及び第２キーに割り当てられる数字を表示部２１に表示させるよう制御する。
したがって、携帯電話機１は、所定時間内に第２キーが操作されることにより第１キー及び第２キーのキーアサインを変更するので、変更されたキーアサインに基づいて第１キー及び第２キーにそれぞれ割り当てられる数字を表示部２１に表示させるよう制御することができる。逆に、所定時間内に操作が生じない、すなわち、キーアサインの変更がない場合には、余計な表示を行うことがないので、文書データの表示に悪影響を与えることもない。
【００４３】
［第４構成例］
また、携帯電話機１は、無線通信部４６をさらに備える。無線通信部４６は、メインアンテナ４０及びＲＦ回路部４１から構成される。この場合、入力操作キー１４は、無線通信部４６により発呼を行うための電話番号を入力可能なキーである。
したがって、携帯電子機器のうち特に、電話番号を入力するための入力操作キー１４を備える携帯電話機において、別段の入力操作キーを設けずとも本発明を実施することができるため特に有効である。
【００４４】
次に、第１実施形態に係る携帯電話機１の動作について説明する。図６は、文書データを表示部２１に表示させた状態から、第１の処理を実行する場合と、第２の処理を実行する場合との一例について説明するための図である。
【００４５】
まず、表示部２１には、起動された所定のアプリケーションに基づいて文書データが表示される（図６（Ａ）参照）。図６に示す場合では、表示部２１の画面サイズが小さいことに対して文書データのページサイズが大きいために、ページ全体を表示部２１に表示させると文字サイズが小さくなり、ユーザが文書データを読むことができない状態になっている。
【００４６】
続いて、文書データを拡大表示させる機能が割り当てられた第１キーが操作され、その後の所定時間内（例えば、１秒）に入力操作キー１４を構成するいずれかのキーが操作されなかった場合、表示部２１には、文書データが拡大表示される（図６（Ｂ）参照）。
【００４７】
一方、図６（Ａ）に示す状態において、所定のアプリケーションに処理を実行させるための機能（拡大表示機能等）が割り当てられた第１キーが操作され、その後の所定時間内に入力操作キー１４を構成するいずれかのキー（第２キー）が操作された場合、表示部２１には、第１キー及び第２キーにそれぞれ割り当てられた数字が表示される（図６（Ｃ）参照）。なお、図６（Ｃ）に示す場合、表示部２１には、第１キー及び第２キーにそれぞれ割り当てられた文字をも表示される。
【００４８】
次に、本実施形態に係る携帯電話機１の制御方法について説明する。図７は、携帯電話機１の制御方法について説明するためのフローチャートである。
【００４９】
携帯電話機１は、起動工程と、表示工程と、処理実行工程とを行う。
起動工程Ｓ１において、アプリケーション起動部４５２は、アプリケーション選択部４５１により選択された所定のアプリケーション（ここでは、ドキュメントビューア）を起動する。
表示工程Ｓ２において、ドキュメントビューアは、文書データを表示する。
【００５０】
処理実行工程Ｓ３において、制御部４５は、入力操作キー１４のうちの第１キーが操作され、第１キーの操作に続いて入力操作キー１４のいずれかが操作されることなく所定時間経過した場合には、第１キーについて対応付けられたドキュメントビューアに関する第１の処理を実行し、第１キーの操作から所定時間内に入力操作キー１４のいずれかである第２キーが操作された場合には、第１キーと第２キーとに割り当てられる数字に対応する第２の処理を実行する。なお、第２の処理は、数字に対応する文書データの特定箇所を特定する処理である。
【００５１】
したがって、携帯電話機１は、第１キー操作から所定時間内に入力操作キー１４を構成するいずれかのキー（第２キー）が操作された場合、第１キーと第２キーとにそれぞれ割り当てられた数字に基づいて第２の処理を実行するので、文書データにおける特定箇所を迅速に特定することができる。
【００５２】
［第２実施形態］
次に、第２実施形態について説明する。第２実施形態に係る携帯電話機１の外観及び概略構成は、図１乃至図３を用いて説明した第１実施形態に係る携帯電話機１と同じである。このため、本実施形態では、第１実施形態の携帯電話機１と同じ概略構成部分には同符号を付し、外観及び概略構成についての説明を省略する。
【００５３】
本実施形態の携帯電話機１は、文書データにおける特定箇所を迅速に特定する機能を有する。本実施形態に係る携帯電話機１の上記機能を発揮するための詳細構成について、図４を参照しながら説明する。
【００５４】
携帯電話機１は、表示部２１（図２参照）と、操作部１１と、制御部４５とを備える。
操作部１１は、それぞれ数字が割り当てられた入力操作キー１４を含む。
【００５５】
制御部４５は、ドキュメントビューアが起動され、ドキュメントビューアに基づいて文書データが表示部２１に表示された状態において操作部１１により所定の操作を行うと、文書データにおける行方向及び／又は列方向の目印（目盛）となる数字を含むルーラ１００（図８（Ｃ）参照）を文書データと共に表示部２１に表示させる。さらに、所定の操作から所定時間（例えば、１秒）内に入力操作キー１４が操作された場合には、操作された入力操作キー１４に割り当てられた数字に一致するルーラ１００上の数字により特定される行及び／又は列を指定した状態で文書データを表示部２１に表示させる。一方、所定の操作から所定時間経過後に入力操作キー１４が操作された場合には、操作された入力操作キー１４について対応付けられたドキュメントビューアに関する処理を実行する。
【００５６】
操作部１１による所定の操作とは、ルーラ表示機能が割り当てられたキーが操作されることである。この所定の操作により、表示部２１には、文書データと共にルーラ１００が表示される。
【００５７】
ドキュメントビューアが起動された場合、制御部４５は、ドキュメントビューアに対応する機能（例えば、拡大表示機能、縮小表示機能、ルーラ表示機能等）を各キーに割り当てる。ルーラ表示機能が割り当てられたキーが操作されてから所定時間内にさらに入力操作キー１４を構成するいずれかのキー（第１キー）が操作された場合、制御部４５は、各キーのキーアサインを数字に変更する。すなわち、制御部４５は、第１キー及び引き続き入力される第２キーにそれぞれ数字を割り当てる。
【００５８】
さらに、制御部４５は、第１キー及び引き続き入力される第２キーの操作に基づいて入力された数字に一致するルーラ１００上の数字を特定する。具体的な一例としては、数字「０７０４」が入力された場合、制御部４５は、数字「０７０４」をルーラ１００上の数字「７行４列」（特定箇所）と特定する。同様に、数字「０８１０」が入力された場合、制御部４５は、数字「０８１０」をルーラ１００上の数字「８行１０列」（特定箇所）と特定する。つまり、特定箇所にカーソルを移動させるなどの処理を行う。制御部４５は、入力された数字に基づいてルーラ１００上の数字を特定した場合、特定されたルーラ１００上の数字を他の数字と異なる色にする等して指定した状態で文書データを表示部２１に表示させる。
【００５９】
なお、制御部４５は、入力操作キー１４の操作に基づいて、数字の間に数字以外の記号（例えば、アスタリスク「＊」、シャープ「＃」等）が入力される場合、記号の前後の数字によって、ルーラ１００上の数字に基づいて文書データの範囲が指定されたと判断し、この範囲が指定された状態で文書データを表示部２１に表示させればよい。例えば、入力操作キー１４の操作に基づいて「０７０４＊０８１０」が入力された場合、制御部４５は、文書データにおける「７行４列〜８行１０列」（特定箇所）が指定されたと判断する。さらに、制御部４５は、「７行４列〜８行１０列」が指定された状態で文書データを表示部２１に表示させる。そして、制御部４５は、この指定範囲の文書データ内の文字列をエディタアプリケーション（文字入力・編集アプリケーション：図８（Ｆ）参照）に転送する。これにより、文書データ内の指定範囲についてのコピー、編集を行うことができる。コピーした文字列は、他のアプリケーションに転用してもよい。
【００６０】
また、制御部４５は、ドキュメントビューアに関する機能が割り当てられたキー（第１キー）が、ルーラ１００の表示を要求するキーが操作されてから所定時間経過後に操作された場合、第１キーに割り当てられている機能（例えば、拡大操作）を実行する。
【００６１】
したがって、携帯電話機１は、ルーラ１００を表示してから所定時間内に入力操作キー１４が連続して操作された場合、入力操作キー１４を構成するキーのキーアサインを変更して数字を入力させ、当該数字によって文書データの位置を特定するので、文書データにおける所望の箇所を迅速に特定することができる。さらに、アスタリスク等の記号を併用する場合には、文書データの範囲指定を可能とし、指定範囲を編集したり、他のアプリケーションでの使用のためにコピーを行うことができる。
【００６２】
また、入力操作キー１４は、入力操作キー１４にそれぞれ文字がさらに割り当てられている。先に述べた記号入力による範囲指定を行わない場合には、制御部４５は、ルーラ１００上の数字により文書データの行及び／又は列を指定してカーソルが当てられた状態でさらに入力操作キー１４が操作されると、操作された入力操作キー１４に割り当てられる文字を、ルーラ１００上の数字により指定され、カーソルの当てられる箇所に挿入する。
例えば、入力操作キー１４の操作に基づいて数字「０７０４」が入力され、この数字「０７０４」に対応する文書データの位置「７行４列」（特定箇所）が特定されてカーソルが当てられる。その後に入力操作キー１４の操作に基づいて文字「よこはま」及び数字「８８８２２２２２６７」が入力された場合、制御部４５は、文書データの７行４列の位置（特定箇所）に文字「よこはま」を挿入する。
したがって、携帯電話機１は、文書データの所望の箇所が特定された後に入力された文字をその特定箇所に挿入するので、文書データを迅速に編集することができる。
【００６３】
また、制御部４５は、ルーラ１００上の数字により文書データの行及び／又は列を指定した状態でさらに入力操作キー１４が操作された際、操作された入力操作キー１４に割り当てられる文字及び数字を双方ともに表示部２１に表示させる。
すなわち、表示部２１には、文字表示領域１０１及び数字表示領域１０２が共に表示される（図８（Ｅ）参照）。文字表示領域１０１には、操作された入力操作キー１４に割り当てられる文字が入力される。数字表示領域１０２には、操作された入力操作キー１４に割り当てられる数字が入力される。
したがって、携帯電話機１は、入力された文字及び数字を双方ともに表示部２１に表示させるので、入力された文字及び数字の確認を行うことができる。
【００６４】
また、携帯電話機１は、無線通信部４６をさらに備える。無線通信部４６は、メインアンテナ４０及びＲＦ回路部４１から構成される。この場合、入力操作キー１４は、無線通信部４６により発呼を行うための電話番号を入力可能なキーである。
したがって、携帯電子機器のうち特に、電話番号を入力するための入力操作キー１４を備える携帯電話機において、別段の入力操作キーを設けずとも本発明を実施することができるため特に有効である。
【００６５】
また、携帯電話機１は、表示部２１（図２参照）と、操作部１１と、制御部４５とを備える。
操作部１１は、数字が割り当てられると共に、所定のアプリケーションの起動に伴って所定機能が割り当てられるキーを含む。すなわち、メモリ４４には、キーに数字を割り当てるためのキーアサインテーブルと、キーに所定のアプリケーションに関する機能（所定機能）を割り当てるためのキーアサインテーブルとが格納されている。制御部４５は、起動された所定のアプリケーションがアクティブ状態になっているか否かに応じて、上記の各キーアサインテーブルを切り替える。
【００６６】
制御部４５は、所定のアプリケーションが起動されて表示部２１に文書情報が表示された状態において、所定のアプリケーションによる所定の表示処理が行われ、その後キーの操作が行われた場合に、所定の表示処理からキーの操作までが所定時間経過した場合には、所定機能を実行し、所定の表示処理からキーの操作までが所定時間内の場合には、操作されたキーに割り当てられる数字に対応する処理を実行させる。
【００６７】
文書情報とは、文字及び数字の少なくとも一方が含まれるデータのことである。所定の表示処理とは、所定のアプリケーションによって行われる表示に関する処理であり、例えば、ルーラ１００を表示部２１に表示する処理である。所定機能とは、表示部２１に表示されている情報を拡大する機能や、表示部２１に表示されている情報を縮小する機能のことである。操作されたキーに割り当てられる数字に対応する処理とは、数字に基づいて情報の特定箇所を特定する処理である。
【００６８】
したがって、携帯電話機１は、所定の表示処理が行われてから所定時間内にキーが操作された場合、当該キーに割り当てられた数字に対応する処理を実行するので、情報における特定箇所を迅速に特定することができる。
【００６９】
次に、第２実施形態に係る携帯電話機１の動作について説明する。図８は、文書データを表示部２１に表示させた状態から、文書データを拡大表示させる場合と、行及び列を指定した状態で文書データを表示部２１に表示させる場合とを説明するための図である。
【００７０】
まず、表示部２１には、起動された所定のアプリケーションに基づいて文書データが表示される（図８（Ａ）参照）。図８に示す場合では、文書データのページサイズが大きいために、ページ全体を表示部２１に表示させると文字サイズが小さくなり、ユーザが文書データを読むことができない状態になっている。
【００７１】
続いて、文書データの拡大表示機能が割り当てられたキーが操作された場合、表示部２１には、文書データが拡大表示される（図８（Ｂ）参照）。
続いて、拡大表示機能が割り当てられたキーが操作されてから（文書データが拡大表示されてから）所定時間経過後に、さらにルーラ表示機能が割り当てられたキーが操作された場合、表示部２１には、文書データと共にルーラ１００が表示される（図８（Ｃ）参照）。
【００７２】
続いて、ルーラ表示機能が割り当てられたキーが操作されてから（ルーラ１００が表示部２１に表示されてから）所定時間経過後に、さらに拡大表示機能が割り当てられたキーが操作された場合、表示部２１には、さらに拡大された文書データが表示される（図８（Ｄ）参照）。
【００７３】
また、ルーラ表示機能が割り当てられたキーが操作されてから（ルーラ１００が表示部２１に表示されてから）所定時間内に、入力操作キー１４を構成するいずれかのキーがさらに操作された場合、表示部２１には、さらに操作されたキーに対応する数字及び文字が表示される（図８（Ｅ）参照）。数字は、数字表示領域１０２に表示される。文字は、文字表示領域１０１に表示される。なお、図８（Ｅ）に示す場合、表示部２１には、数字として「０７０４＊０８１０」が表示され、文字として「わまわだわやあわ」が表示される。
【００７４】
続いて、制御部４５は、表示部２１に表示される数字「０７０４＊０８１０」に基づいて文書データにおける「７行４列から８行１０列まで」（特定箇所）を指定する。この特定箇所の指定が行われたことに基づいて、アプリケーション選択部４５１は、アプリケーション格納部４４１に格納されるエディタアプリケーションを選択する。さらに、アプリケーション起動部４５２は、アプリケーション選択部４５１により選択されたエディタアプリケーションを起動する。そして、制御部４５は、文書データにおける「７行４列から８行１０列まで」（特定箇所）を抜き出して（コピーして）、エディタアプリケーションに入力させる（貼り付ける）。この結果、表示部２１には、文書データにおける７行４列から８行１０列までの特定箇所「〜記〜  場所：大会議室」が表示される（図８（Ｆ）参照）。
【００７５】
次に、図９を参照して、携帯電話機１の動作について説明する。図９は、携帯電話機１の動作を説明するためのフローチャートである。
【００７６】
ステップＳ１００において、アプリケーション起動部４５２は、アプリケーション選択部４５１により選択された所定のアプリケーション（ドキュメントビューアやブラウザ）を起動する。
ステップＳ１０１において、制御部４５は、所定のアプリケーションに関する機能を入力操作キー１４に割り当てる。すなわち、制御部４５は、キーアサインテーブルを切り替える。
【００７７】
ステップＳ１０２において、制御部４５は、入力操作キー１４の操作に基づく表示文書の拡大操作等を検知する。すなわち、制御部４５は、操作されたキーの位置情報に基づいて所定のキーアサインテーブル（例えば、図５参照）を参照し、操作されたキーに割り当てられる機能を検知する。
【００７８】
ステップＳ１０３において、制御部４５は、ルーラ表示機能が割り当てられている入力操作キー１４が操作されたか否かを判断する。すなわち、制御部４５は、ステップＳ１０２の処理の後にさらに操作された入力操作キー１４にルーラ表示機能が割り当てられているか否かを判断する。ルーラ表示機能が割り当てられている入力操作キー１４が操作された場合（Ｙｅｓ）には、ステップＳ１０４に進む。ルーラ表示機能が割り当てられている入力操作キー１４が操作されていない場合（Ｎｏ）には、ステップＳ１０２に進む。
【００７９】
ステップＳ１０４において、制御部４５は、ルーラ１００を表示部２１に表示させる。
ステップＳ１０５において入力操作キー１４が操作されると、ステップＳ１０６において、制御部４５は、入力操作キー１４がルーラ１００を表示した後の所定時間内に操作されたか否かを判断する。所定時間内に入力操作キー１４が操作されている場合（Ｙｅｓ）には、ステップＳ１０７に進む。所定時間経過後に入力操作キー１４が操作されている場合（Ｎｏ）には、ステップＳ１０２に進み、操作されたキーに対応する拡大などの機能を実行する。
【００８０】
ステップＳ１０７において、制御部４５は、入力操作キー１４に割り当てられた所定のアプリケーションに関する機能を解除する。すなわち、制御部４５は、ステップＳ１０１の処理により変更したキーアサインテーブルを元に戻す（入力操作キー１４に数字を割り当てる）。
ステップＳ１０８において、制御部４５は、ルーラ表示後の入力操作キー１４の操作に基づき入力された数字及び文字を表示部２１に表示させる。そして、引き続き入力される入力操作キー１４が操作されるごとに数字及び文字を表示部２１に表示させる。
【００８１】
ステップＳ１０９において、制御部４５は、表示部２１に表示される文字について仮名変換又は漢字変換等の変換処理が行われ、変換処理後の文字について確定処理が行われたか否かを判断する。文字の変換処理、確定処理が行われていない場合（Ｎｏ）には、ステップＳ１１０に進む。文字の変換処理、確定処理が行われている場合（Ｙｅｓ）には、ステップＳ１１１に進む。
【００８２】
ステップＳ１１０において、制御部４５は、特に、アスタリスク等の記号を含む場合には、記号の前後の数字を抽出すると共に、これらの数字により特定される表示部２１に表示された数字に対応する文書データの範囲をエディタアプリケーションに入力させる。すなわち、制御部４５は、表示部２１に表示される数字に基づいて文書データにおける行及び／又は列の位置（特定箇所）を特定し、特定箇所の文書データをエディタアプリケーションにコピーする。一方、記号を含まない場合には、入力された数字により特定されるルーラ１００に対応する数字により指定される座標にカーソルを当てる。そして、引き続き入力される文字列を、文書データの指定箇所に挿入する。
また、ステップＳ１１１においては、制御部４５は、表示部２１に表示される文字に一致するものを文書データの中から検索し、検索された文字を含む文書データ内の座標にカーソルを当てる。
【００８３】
以上により、所定のアプリケーションに対する操作性を極力低下させることなく、ユーザ所望箇所を迅速に特定することができる。
【００８４】
なお、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイス等の携帯電子機器にも適用することができる。
【符号の説明】
【００８５】
１  携帯電話機（携帯電子機器）
１１  操作部（キー操作部）
１４  入力操作キー（テンキー）
２１  表示部
４５  制御部
４６  無線通信部
１００  ルーラ
【図１】
0005468355.tif 000002
【図２】
0005468355.tif 000003
【図３】
0005468355.tif 000004
【図４】
0005468355.tif 000005
【図５】
0005468355.tif 000006
【図６】
0005468355.tif 000007
【図７】
0005468355.tif 000008
【図８】
0005468355.tif 000009
【図９】
0005468355.tif 000010